(57)【要約】【課題】光ファイバケーブルを解体する際に、ケーブルコア内の光ファイバ心線を傷つけることなく、最外殻となる外被層と内殻となる押巻き層を巻き付けている粗巻き部材とを同時に切断し、容易に剥離・解体することができる。【解決手段】光ファイバケーブル１０は、ケーブルコア４の外側にその軸方向に縦添えさせて押巻き層１を設け、該押巻き層上に上記ケーブルコア４の軸方向に沿って引裂紐２を重ね合わせると共に該引裂紐と上記押巻き層とを粗巻き部材３で上記ケーブルコアに巻き付け、これら上記粗巻き部材３、上記引裂紐２及び上記押巻き層１上に外被層５を被覆したことを特徴とするものである。上記引裂紐を径方向外方に引っ張ることで上記外被層５と上記押巻き層１とを同時に剥離解体することができる。【選択図】図１
2007212769.tif 000002
【特許請求の範囲】
【請求項１】
光ファイバ心線を有するケーブルコアの外側に外被層を被覆した光ファイバケーブルにおいて、上記ケーブルコアの外側にその軸方向に沿わせて縦添えに施された押巻き層を設け、該押巻き層上に上記ケーブルコアの軸方向に沿って引裂紐を重ね合わせると共に該引裂紐と上記押巻き層とを粗巻き部材で上記ケーブルコアに巻き付け、これら上記粗巻き部材、上記引裂紐及び上記押巻き層上に外被層を被覆したことを特徴とする光ファイバケーブル。
【請求項２】
上記引裂紐は該引裂紐上に巻き付けられた上記粗巻き部材及び上記外被層よりヤング率並びに破断強度が高く設定された抗張力繊維材あるいは抗張力体によって成形された請求項１記載の光ファイバケーブル。
【請求項３】
上記外被層がポリエチレン樹脂により成形されると共に上記粗巻き部材が上記外被層と熱により融着されるポリエチレン系樹脂によって成形された請求項１又は２記載の光ファイバケーブル。
【請求項４】
上記粗巻き部材が上記外被層に接着接合させるための接着層を有した請求項１〜３いずれかに記載の光ファイバケーブル。
【発明の詳細な説明】
【技術分野】
【０００１】
本発明は、光ファイバケーブルに関する。
【背景技術】
【０００２】
一般に、光ファイバケーブルの心線を有するケーブルコアの最外殻には、所定の厚さを有する合成樹脂製の外被層が被覆され、ケーブルコアは保護されている。また、外被層の内側には外被層を切開してケーブルコアを露出解体するための引裂紐が設けられている。
【０００３】
従来の光ファイバケーブルとしては、図９に示すものが知られている。この光ファイバケーブル２０の心線となるケーブルコア２４の外側には内殻として不織布製のテープ等からなる押巻き層２１が軸方向に縦添えに施されている。また、この押巻き層２１はケーブルコア２４の軸方向に沿って螺旋状に巻き付けられている場合もある。
【０００４】
この押巻き層２１上には粗巻き部材２３がケーブルコア２４の軸方向乃至長手方向に沿って螺旋状に巻き付けられて、押巻き層２１をケーブルコア２４上に的確に保持させている。このように、ケーブルコア２４に粗巻き部材２３により押巻き層２１を保持させて被覆した後、粗巻き部材２３と押巻き層２１との上にはケーブルコア２４の軸方向に沿って引裂紐２２が重ねて設けられていると共にその最外殻となる外被層２５が被覆されている。従って、引裂紐２２をケーブルコア２４より軸方向に沿って且つ径方向外方に引っ張り上げることにより、外被層２５を破断し得るように構成されている。
【０００５】
【特許文献１】特開２００５−９９４４５号公報
【特許文献２】実開平０６−０１５０１４号公報
【発明の開示】
【発明が解決しようとする課題】
【０００６】
ところで、従来の光ファイバケーブルにあっては、第１工程として外被層２５にカッターナイフ等で切口を開き、外被層２５の下に配置された引裂紐２２をケーブルコアの軸方向に沿って且つ径方向外方に引っ張り上げることにより外被層２５に軸方向に沿った切り裂き目を形成しながら外被層２５を剥離する。次に、第２工程として、ケーブルコア２４上に被覆された押巻き層２１を粗巻き部材２３を切り除きながら剥離して光ファイバケーブルの心線を有するケーブルコア２４を露出させる。つまり解体作業は、引裂紐２２が外被層２５の内側で押巻き層２１の外側に配置されているために、引裂紐２２を用いて外被層２５を剥離する作業と押巻き層２１を剥離する作業の２工程を要し、作業時間がかかるという問題点があった。
【０００７】
また、押巻き層２１を容易に剥離するために、ケーブルコア２４の外側を覆うよう不織布テープ等を軸方向に縦添えさせて、この押巻き層２１上に粗巻き部材２３で螺旋状に巻き留めた光ファイバケーブルであっても、引裂紐２２が外被層２５の内側で押巻き層２１及び粗巻き部材２３の外側に配置されているため、引裂紐２２を用いて外被層２５に切れ目を入れ外被層２５を剥離した後、粗巻き部材２３を切断しなければ押巻き層２１を剥離することができず、解体作業工程は上記押巻き層２１がテープ状の部材で螺旋状に巻きつけられた光ファイバケーブルと同じであった。
【０００８】
さらに、粗巻き部材２３をカッターナイフ等の刃物で切断する際に、誤ってケーブルコア２４内の光ファイバ心線や光ファイバテープ心線を傷つけ、あるいは断線させるおそれがあった。
【０００９】
そこで、本発明の目的は、上記課題を解決すべく、光ファイバケーブルを解体する際に、ケーブルコア内の光ファイバ心線を傷つけることなく、最外殻となる外被層と押巻き層を巻き付けている粗巻き部材とを同時に切断し、容易に剥離・解体することができる光ファイバケーブルを提供することにある。
【課題を解決するための手段】
【００１０】
上記課題を解決するために本発明の光ファイバケーブルは、光ファイバ心線を有するケーブルコアの外側に外被層を被覆した光ファイバケーブルにおいて、上記ケーブルコアの外側にその軸方向に縦添えさせて押巻き層を設け、該押巻き層上に上記ケーブルコアの軸方向に沿って引裂紐を重ね合わせると共に該引裂紐と上記押巻き層とを粗巻き部材で上記ケーブルコアに巻き付け、これら上記粗巻き部材、上記引裂紐及び上記押巻き層上に外被層を被覆したことを特徴とするものである。
【００１１】
また、本発明の上記引裂紐は、該引裂紐上に巻き付けられた上記粗巻き部材及び上記外被層よりヤング率並びに破断強度が高く設定された抗張力繊維材あるいは抗張力体によって成形されることが好ましい。
【００１２】
また、本発明の上記外被層がポリエチレン樹脂によって成形されると共に上記粗巻き部材が上記外被層と熱により融着されるポリエチレン系樹脂によって成形されることが好ましい。
【００１３】
さらに、本発明の上記粗巻き部材が上記外被層に接着接合させるための接着層を有していることが好ましい。
【発明の効果】
【００１４】
本発明によれば、光ファイバケーブルを解体する際に、ケーブルコア内の光ファイバ心線を傷つけることなく、最外殻となる外被層と内殻となる押巻き層を巻き付けている粗巻き部材とを同時に切断し、容易に剥離・解体することができる。
【発明を実施するための最良の形態】
【００１５】
以下、本発明の一実施形態を添付図面に基づいて詳述する。
【００１６】
本発明の一つの実施の形態に係る光ファイバケーブルは、図１及び図２に示すように構成されている。図示するように、光ファイバケーブル１０は主に複数の光ファイバ心線や光ファイバテープ心線などを有するケーブルコア４と、ケーブルコア４の外側に、その軸方向に縦添えして巻き付けられ内殻となる押巻き層１と、押巻き層１の上に軸方向に沿って配置された一本の引裂紐２と、押巻き層１と引裂紐２とをケーブルコア４に螺旋状に巻き付ける粗巻き部材３と、押巻き層１、引裂紐２及び粗巻き部材３上に被覆され最外殻となる黒色ポリエチレン樹脂などの外被層５とで構成されている。
【００１７】
なお、本発明においては、ケーブルコア４の内部構造は、特に限定されず、例えば複数の光ファイバ心線が集合して構成された光ファイバユニットをテンションメンバーの周りに複数本撚り合わせたユニット型構造、スロットの外周溝に複数の光ファイバテープ心線や光ファイバ心線を収納したスロット型構造、複数の光ファイバテープ心線や光ファイバ心線をテンションメンバーの周りに撚り合わせた層型構造などが用いられる。
【００１８】
また、ケーブルコア４の内殻となる押巻き層１を構成する部材は、比較的層厚の薄い不織布テープ、金属テープ、プラスチックテープ、吸水材を塗布した吸水テープなどが用いられる。
【００１９】
次に、この実施の形態に係る光ファイバケーブル１０に用いられる引裂紐２について説明する。この引裂紐２は、外被層５と粗巻き部材３を同時に引き裂くために用いられるものであって、ケーブルコア４の外側に縦添えさせた押巻き層１の上に配置する。図示例にあっては一本の引裂紐２が配置されているが、配置位置は押巻き層１の上で、且つ粗巻き部材３の内側であればどこでもよく、また、複数本配置することも勿論可能である。
【００２０】
また、この引裂紐２は、外被層５と粗巻き部材３よりヤング率及び破断強度が大きい抗張力繊維あるいは抗張力体で構成されている。従って、解体時に引裂紐２を軸方向に沿って且つ径方向外方に引っ張っても破断することがない強度を有し、押巻き層１及び粗巻き部材３を同時に引き裂くことを可能とする。
【００２１】
また、本発明の光ファイバケーブル１０に用いられる粗巻き部材３について説明する。この粗巻き部材３は、ケーブルコア４の外側に、即ち内殻としての押巻き層１と引裂紐２を巻き付けておくためのものである。従って、粗巻き部材３は複数本であってもよい。
【００２２】
また、粗巻き部材３は外被層５を構成する材料と熱融着あるいは接着し易い材料で構成されている。例えば、外被層５がポリエチレン樹脂からなる場合は、粗巻き部材３をポリエチレン樹脂系のテープとすることで、外被層５を押出成形等により被覆する際の熱により、粗巻き部材３を外被層５の内側に融着させることができる。このように、粗巻き部材３が外被層５と接着していることで、解体時に粗巻き部材３と外被層５を一括して剥離することができ、作業能率を向上させることができる。
【００２３】
また、図３に図示するように、粗巻き部材３はテープ状に形成されており、外被層５と接する面に接着層６を設けてもよい。この接着層６に外被層５を被覆する際に外被層５から受ける熱により、粗巻き部材３を外被層５の内側に接着させることができる。なお、粗巻き部材３は紐状であっても良い。
【００２４】
次に、この実施の形態に係る光ファイバケーブル１０の解体手順について説明する。解体する際は、まず外被層５にカッターナイフ等で切口を入れ、外被層５の下に収容されている引裂紐２の一部を引き出す。次に図４及び図５に示すように引裂紐２を軸方向に沿って且つ径方向外方に引っ張ることにより、粗巻き部材３を切断しながら同時に外被層５を引き裂くことができる。即ち、引裂紐２を軸方向に沿って且つ径方向外方に引っ張ることにより、押巻き層１とケーブルコア４に巻き付けている粗巻き部材３が切断され、図６に示すように内殻となる押巻き層１は突き合わせ部あるいは重ね合わせ部から捲れ、該捲れた部分を剥ぎ取れば容易にケーブルコア４を露出させることができる。  
次に、他の実施の形態の光ファイバケーブル１０ａについて説明する。なお、前述した実施の形態の光ファイバケーブル１０と同様の部材は同符号にて説明する。また、光ファイバケーブル１０ａに使用される引裂紐２は前述した光ファイバケーブル１０で使用した引裂紐２と同様であるので、詳しい説明は省略する。
【００２５】
図７に示すように、光ファイバケーブル１０ａは、ケーブルコア４と、押巻き層１と、押巻き層１の上に軸方向に沿って配置された引裂紐２と、押巻き層１と引裂紐２とをケーブルコア４に螺旋状に巻き付けている粗巻き部材３ａと、押巻き層１、引裂紐２及び粗巻き部材３ａ上を黒色ポリエチレン樹脂などの外被層５で被覆して構成されている。
【００２６】
光ファイバケーブル１０ａに用いられる粗巻き部材３ａは、紙製のテープ状の部材で構成されている。特に、その厚さを０．５ｍｍ以下とすれば、引裂紐２によって容易に切断することができる。
【００２７】
また、図８に示すように、粗巻き部材３ａはテープ状に形成されており、外被層５と接する面に接着層６ａを設けてもよい。この接着層６ａに外被層５を被覆する際に外被層５から受ける熱により、粗巻き部材３ａを外被層５の内側に融着あるいは接着させることができ、外被層５を剥ぎ取る際に、粗巻き部材３ａも一括して剥ぎ取ることができる。なお、粗巻き部材３ａは紐状であってもよい。
【００２８】
なお、外被層５は、黒以外の色彩を着色させたものや、あるいは色彩を着色させない無色透明なものであってもよい。
【図面の簡単な説明】
【００２９】
【図１】本発明の実施の形態の光ファイバケーブルの斜視図である。
【図２】光ファイバケーブルの正面断面図である。
【図３】粗巻き部材の断面図である。
【図４】引裂紐により、外被層及び粗巻き部材を切断している状態を示す光ファイバケーブルの斜視図である。
【図５】引裂紐により、粗巻き部材を切断している状態を示す光ファイバケーブルの斜視図である。
【図６】引裂紐により、粗巻き部材が切断された後、押巻き層が捲れている状態を示す光ファイバケーブルの斜視図である。
【図７】光ファイバケーブルの斜視図である。
【図８】粗巻き部材の断面図である。
【図９】従来の光ファイバケーブルの斜視図である。
【符号の説明】
【００３０】
１  押巻き層
２  引裂紐
３  粗巻き部材
４  ケーブルコア
５  外被層
６  接着層
【図１】
2007212769.tif 000003
【図２】
2007212769.tif 000004
【図３】
2007212769.tif 000005
【図４】
2007212769.tif 000006
【図５】
2007212769.tif 000007
【図６】
2007212769.tif 000008
【図７】
2007212769.tif 000009
【図８】
2007212769.tif 000010
【図９】
2007212769.tif 000011